(57)【要約】【課題】動物の身体への負担が少ない動物用胴輪装置を提供する。【解決手段】動物Ｐの両前脚Ｌ，Ｌを挟んで上下にそれぞれ設けられ、動物の胴部を周方向に囲み前後に少なくとも２本設けられる胴ストラップ部７，８と、動物の背部にまわる肩ストラップ部９と、を有し、肩ストラップ部９には、リード２０を固定する被固定部１３，１３を備えたハーネス３と、少なくとも動物Ｐの胴部と背部とを包むように動物Ｐに着用され、表地２Ａと裏地２Ｂとで構成される衣服体２と、を備え、ハーネス３は、その大部分を衣服体２を構成する表地２Ａと裏地２Ｂとの間に内包させ、胴ストラップ部７，８を裏地２Ｂの外方に位置させた。【選択図】図５
2019080512.tif 000002
【特許請求の範囲】
【請求項１】
動物の両前脚を挟んで上下にそれぞれ設けられ、動物の胴部を周方向に横切るように少なくとも２本設けられる胴ストラップ部と、動物の背部にまわる肩ストラップ部と、を有し、前記肩ストラップ部には、リードを固定する被固定部を備えたハーネスと、
少なくとも動物の胴部と背部とを包むように当該動物に着用され、表地と裏地とで構成される衣服体と、
を備え、
前記ハーネスは、その大部分が前記衣服体を構成する前記表地と前記裏地との間に内包され、前記胴ストラップ部が前記裏地の外方に位置することを特徴とする動物用胴輪装置。
【請求項２】
前記衣服体は、動物の両前脚をそれぞれ挿入可能な袖部を備え、前記ハーネスの前記胴ストラップ部は、前記袖部を構成する部分の前記裏地を挟んで上下に設けられていることを特徴とする請求項１に記載の動物用胴輪装置。
【請求項３】
前記衣服体は、動物の胸側に位置する前身頃が左右に分割されており、前記ハーネスの前記胴ストラップ部は、動物の胸部側に着脱可能な接続部を備え、該接続部により左右に分割されていることを特徴とする請求項１または２に記載の動物用胴輪装置。
【請求項４】
前記ハーネスの前記胴ストラップ部における、前記接続部により左右に分割された端部は、一方の前記端部が前記衣服体の外側から露出し、他方の前記端部が前記衣服体の内側から露出していることを特徴とする請求項３に記載の動物用胴輪装置。
【請求項５】
前記衣服体は、動物の胸側に位置する前身頃は、左右に分割された端部同士が重ねられた状態を保持可能となっており、前記端部同士の間に前記接続部が位置することを特徴とする請求項３または４に記載の動物用胴輪装置。
【請求項６】
前記肩ストラップ部は、動物の背部側に着脱可能な接続部を備え、該接続部により左右に分割されていることを特徴とする請求項１ないし５のいずれかに記載の動物用胴輪装置。
【発明の詳細な説明】
【技術分野】
【０００１】
本発明は、動物の歩行をコントロールするリードをペット等の動物に取り付ける際に用いられる動物用胴輪装置に関する。
【背景技術】
【０００２】
従来は動物の歩行をコントロールするリードは、動物の首に巻き付けられた首輪に取り付けることが多かったが、近年では、動物の身体への負担を軽減するために、リードを取り付ける対象として動物の胴部に巻きつける所謂ハーネスが広く利用されている。
【０００３】
例えば、特許文献１に示されるようなハーネスは、動物の胴部を周方向に囲む胴ストラップ部と、動物の背部にまわる肩ストラップ部とを有し、肩ストラップ部にはリードを固定する被固定部を備えている。そして、胴ストラップ部は、動物の両前脚を挟んで前後にそれぞれ設けられており、リードを引いた際にハーネスに係る力がストラップ全体に分散されるため、動物の身体への負担が軽減できるようになっている。
【先行技術文献】
【特許文献】
【０００４】
【特許文献１】特開２０１４−１６１３３１号公報（第４頁、第２図）
【発明の概要】
【発明が解決しようとする課題】
【０００５】
しかしながら、特許文献１にあっては、リードが引かれた際に胴ストラップ部を構成する紐状体が動物の皮膚に直接触れることから、擦れて怪我をする虞があるばかりか、紐状体が身体に食い込む虞があり、動物の身体への負担を十分に軽減できているとは言えない。
【０００６】
本発明は、このような問題点に着目してなされたもので、動物の身体への負担が少ない動物用胴輪装置を提供することを目的とする。
【課題を解決するための手段】
【０００７】
前記課題を解決するために、本発明の動物用胴輪装置は、
動物の両前脚を挟んで上下にそれぞれ設けられ、動物の胴部を周方向に横切るように少なくとも２本設けられる胴ストラップ部と、動物の背部にまわる肩ストラップ部と、を有し、前記肩ストラップ部には、リードを固定する被固定部を備えたハーネスと、
少なくとも動物の胴部と背部とを包むように当該動物に着用され、表地と裏地とで構成される衣服体と、
を備え、
前記ハーネスは、その大部分が前記衣服体を構成する前記表地と前記裏地との間に内包され、前記胴ストラップ部が前記裏地の外方に位置することを特徴としている。
この特徴によれば、胴ストラップ部が衣服体を構成する裏地より外方に位置することから、胴ストラップ部が動物の皮膚に直接触れることがなく、動物の身体への負担を少なくすることができる。また、ハーネスの大部分が衣服体を構成する表地と裏地との間に内包されていることから、ハーネスが目立ち難く、衣服体の美観を損なうことがない。
【０００８】
前記衣服体は、動物の両前脚をそれぞれ挿入可能な袖部を備え、前記ハーネスの前記胴ストラップ部は、前記袖部を構成する部分の前記裏地を挟んで上下に設けられていることを特徴としている。
この特徴によれば、動物の両前脚を袖部にそれぞれ挿入することで、胴ストラップ部を動物の両前脚を挟んだ上下にそれぞれ容易にかつ確実に位置させることができる。
【０００９】
前記衣服体は、動物の胸側に位置する前身頃が左右に分割されており、前記ハーネスの前記胴ストラップ部は、動物の胸部側に着脱可能な接続部を備え、該接続部により左右に分割されていることを特徴としている。
この特徴によれば、衣服体の前身頃を開いて動物に衣服体を着用させることができるため、衣服体の後身頃のデザインの自由度を高めることができる。
【００１０】
前記ハーネスの前記胴ストラップ部における、前記接続部により左右に分割された端部は、一方の前記端部が前記衣服体の外側から露出し、他方の前記端部が前記衣服体の内側から露出していることを特徴としている。
この特徴によれば、胴ストラップ部の両端部を接続する際に、衣服体の前身頃を構成する左右に分割された端部同士が重ねられた状態となり、接続部が外部に露出せず、美観を向上させることができる。
【００１１】
前記衣服体は、動物の胸側に位置する前身頃は、左右に分割された端部同士が重ねられた状態を保持可能となっており、前記端部同士の間に前記接続部が位置することを特徴としている。
この特徴によれば、左右に分割された端部同士を重ねた状態に保持させることで、接続部が動物の身体に接触しないため、衣服体とハーネスとを前開きにして動物への取付けを簡便にしながら、動物の身体への負担を軽減することができる。
【００１２】
前記肩ストラップ部は、動物の背部側に着脱可能な接続部を備え、該接続部により左右に分割されていることを特徴としている。
この特徴によれば、ハーネスを左右に２分割に構成でき、衣服体への取付けを容易に行うことができる。
【図面の簡単な説明】
【００１３】
【図１】本発明の実施例１における動物用胴輪装置を示す斜視図である。
【図２】動物に取付けられたハーネスを示す斜視図である。
【図３】（ａ）は衣服体を示し、（ｂ）はハーネスを示す斜視図である。
【図４】フックとリードとを示す一部拡大図である。
【図５】衣服体の前身頃側から見た図であり、（ａ）は衣服体から外部に露出した胴ストラップ部を分割する接続部材との位置関係を示す図であり、（ｂ）は接続部材を係合させた状態を示す図である。
【図６】上下の胴ストラップ部と衣服体の袖部との配置関係を示す一部拡大破断図である。
【図７】胴ストラップ部を分割する接続部材と衣服体の前身頃との位置関係を示す図である。
【図８】左右に２分割されたハーネスを示す図である。
【発明を実施するための形態】
【００１４】
本発明に係る動物用胴輪装置を実施するための形態を実施例に基づいて以下に説明する。
【実施例１】
【００１５】
実施例１に係る動物用胴輪装置につき、図１から図８を参照して説明する。
【００１６】
図１に示される動物用胴輪装置１は、ペット等の動物Ｐの胴部に巻きつけられ、後述する被固定部を構成する環部材１３，１３にリード２０（ともに図４参照）を取り付けることで、動物Ｐの歩行をコントロールするものである。尚、本実施例において動物用胴輪装置１を取り付ける対象の動物Ｐは犬とする。
【００１７】
図１に示されるように、動物用胴輪装置１は、後述する衣服体２の袖部４，４に両前脚Ｌ，Ｌを通した状態で動物Ｐに着用させ利用される。
【００１８】
図２に示されるように、動物用胴輪装置１は、動物の胴部と背部とを包むように着用させる衣服体２と、ハーネス３と、から構成されている。図３（ａ）に示されるように、衣服体２は、動物Ｐの胴部と背部とを包むように着用され、動物Ｐの胸部側に位置する前身頃５は、左右に分割されており、動物Ｐの背部側に位置する後身頃６は分割されていない、所謂前開きの衣服である。
【００１９】
図３（ａ）に示されるように、衣服体２は表地２Ａと裏地２Ｂの２枚の布地を縫合して構成されており、これら表地２Ａと裏地２Ｂとの間にハーネス３の大部分が配置されて動物用胴輪装置１が構成されている（図２参照）。
【００２０】
図２及び図３（ｂ）に示されるように、ハーネス３は平紐で構成され、動物用胴輪装置１の着用時において動物Ｐの胴部を周方向に囲み上下に少なくとも２本設けられる胴ストラップ部７，８と、動物Ｐの肩の背部側に位置する肩ストラップ部９と、を有している。上方の胴ストラップ部７と下方の胴ストラップ部８とは、動物用胴輪装置１の着用時において動物Ｐの両前脚Ｌ，Ｌを挟んで前後にそれぞれ設けられ、それぞれの両端部７ａ，７ａと両端部８ａ，８ａとが、環部材１０，１０に架け渡されて固定されている。
【００２１】
また、上方の胴ストラップ部７は、それぞれ左右に分割されており、分割された分割ストラップ７ｂ，７ｃの自由端部７ｄ，７ｄにそれぞれ接続部を構成する接続部材１１ａ，１１ｂが固定されている。これら接続部材１１ａ，１１ｂは着脱可能となっており、動物用胴輪装置１の着用時において動物Ｐの胸部側に位置する。
【００２２】
同様に、下方の胴ストラップ部８は、それぞれ左右に分割されており、分割された分割ストラップ８ｂ，８ｃの自由端部８ｄ，８ｄにそれぞれ接続部を構成する接続部材１２ａ，１２ｂが固定されている。
【００２３】
肩ストラップ部９は、両端部９ａ，９ａが環部材１０，１０に架け渡されて固定されている。また、肩ストラップ部９は、左右に分割されており、分割された分割ストラップ９ｂ，９ｃの自由端部９ｄ，９ｄには環部材１３，１３が固定されている。
【００２４】
また、肩ストラップ部９における環部材１３，１３を挟んだ両側には、それぞれ接続部材（接続部）１４ａ，１４ｂが固定されている。これら接続部材１４ａ，１４ｂは着脱可能となっており、動物用胴輪装置１の着用時において動物Ｐの背部側に位置する。
【００２５】
図４に示されるように、肩ストラップ部９の自由端部９ｄ，９ｄ及び接続部材１４ａ，１４ｂと、環部材１３，１３とは、動物用胴輪装置１の着用時において動物Ｐの背部側に位置する衣服体２の後身頃６を構成する表地に形成された孔６ａ，６ｂ（一方の６ａは図３（ａ）参照）から、それぞれ衣服体２の外部に露出し、接続部材１４ａと接続部材１４ｂとは、当該外部において着脱操作可能となっている。また、外部に露出した環部材１３，１３にリード２０を固定可能となっている。
【００２６】
図５（ａ）に示されるように、胴ストラップ部７，８の分割された一方側（ここでは紙面左側）の分割ストラップ７ｂ，８ｂ及び接続部材１１ａ，１２ａは、衣服体２における左右に分割された前身頃５を構成する一方（ここでは紙面左側）の端片５Ａの表地２Ａに形成された孔１５ａ，１５ｂから、それぞれ衣服体２の外部に露出している。また、胴ストラップ部７，８の分割された他方側（ここでは紙面右側）の分割ストラップ７ｃ，８ｃ及び接続部材１１ｂ，１２ｂは、衣服体２における左右に分割された前身頃を構成する右側（ここでは紙面右側）の端片５Ｂの裏地２Ｂに形成された孔１６ａ，１６ｂから、それぞれ衣服体２の外部に露出している。
【００２７】
図５（ｂ）に示されるように、端片５Ａの孔１５ａ，１５ｂから露出した一方側の接続部材１１ａ，１２ａと端片５Ｂの孔１６ａ，１６ｂから露出した他方側の接続部材１１ｂ，１２ｂとは、衣服体２の外部にて着脱可能となっている。
【００２８】
また、左右に分割された前身頃５の一方を構成する端片５Ａの表地２Ａには、面ファスナー１７，１７が固定されており、前身頃５の他方を構成する端片５Ｂの裏地２Ｂには、端片５Ａの面ファスナー１７，１７に係合する面ファスナー１８，１８が固定されている。そのため、端片５Ａが端片５Ｂの外側に位置するように重合させた状態で面ファスナー１７，１７と面ファスナー１８，１８とを係合させることで、端片５Ａ，５Ｂ同士を重合させた状態に保持することができる。
【００２９】
上記したように、ハーネス３の胴ストラップ部７，８は、接続部材１１ａ，１１ｂ，１２ａ，１２ｂと、自由端７ｄ，７ｄ，８ｄ，８ｄ側の部分以外が、衣服体２の表地２Ａと裏地２Ｂの間に内包されている。すなわち、動物用胴輪装置１の着用時に、動物Ｐの胴部側において、ハーネス３の胴ストラップ部７，８の大部分と動物Ｐとの間には、衣服体２の裏地２Ｂが介在するため、胴ストラップ部７，８が動物の身体に直接接触し難く、動物の身体への負担を軽減することができる。
【００３０】
また、端片５Ａの表地２Ａに形成された孔１５ａから外部に露出した部分における胴ストラップ部７の分割された一方側の分割ストラップ７ｂと接続部材１１ａの合計寸法は、孔１５ａから端片５Ａの端縁までの寸法より短くなっている。同様に端片５Ａの表地２Ａに形成された孔１５ｂから外部に露出した部分における胴ストラップ部８の分割された一方側の分割ストラップ８ｂと接続部材１２ａの合計寸法は、孔１５ａから端片５Ａの端縁までの寸法より短くなっている。そのため、動物Ｐの胸部側にて、胴ストラップ部７，８及び接続部材１１ａ，１２ａとの間に端片５Ａが位置し、胴ストラップ部７，８が動物の身体に直接接触することが防止でき、かつ接続部材１１ａ，１２ａが動物Ｐの身体に直接接触することを防止することができる。
【００３１】
また、肩ストラップ部９における衣服体２の孔６ａ，６ｂから外部に露出していない部分は衣服体２に内包され、動物用胴輪装置１の着用時において動物Ｐと肩ストラップ部９の大部分との間には、衣服体２の裏地２Ｂが介在し、かつ孔６ａ，６ｂから外部に露出した部分と動物Ｐとの間には後身頃６を構成する表地２Ａと裏地２Ｂとが位置するため、動物Ｐの身体に直接接触せず、動物Ｐの身体への負担を軽減することができる。
【００３２】
また、胴ストラップ部７，８と肩ストラップ部９とにおける大部分が衣服体２に内包されることから、ハーネス３自体が目立ちにくく、動物用胴輪装置１の美観を損なうことがない。
【００３３】
図６に示されるように、ハーネス３の胴ストラップ部７，８は、衣服体２の袖部４を構成する裏地２Ｂを挟んで上下に配置されている。そのため、図２に示されるように、動物用胴輪装置１の着用時には、上方の胴ストラップ部７が動物Ｐの肩の上方から胸部の上部に回り込むように配置され、下方の胴ストラップ部８が動物Ｐの脇の下方から胸部の下部に回り込むように配置される。
【００３４】
これによれば、肩ストラップ部９に接続されたリード２０を引っ張った際には、肩ストラップ部９から二股に分かれた上方の胴ストラップ部７と下方の胴ストラップ部８とに力が分散され、動物Ｐの身体への負担を減らすことができるとともに、動物Ｐを安定して引っ張ることができる。
【００３５】
また、下方の胴ストラップ部８は、動物Ｐの脇の下に位置し、上方に引かれる態様となることから、動物Ｐの両前脚Ｌ，Ｌが下方の胴ストラップ部８の抜け止めとなり、より安定して動物Ｐをコントロール可能となる。更に、下方の胴ストラップ部８が動物Ｐの脇の下方から胸部の下部に回り込むように位置するため、特に力のかかる脇の下の擦れを効果的に防止することができる。
【００３６】
また、動物用胴輪装置１の着用時には、動物Ｐの両前脚Ｌ，Ｌを袖部４，４に通すことで、上記した動物Ｐを安定して引っ張ることができる効果と脇の下の擦れ防止に効果的なポジションに上方の胴ストラップ部７と下方の胴ストラップ部８を位置決めさせることができる。
【００３７】
また、図５（ａ）に示されるように、左右に分割された前身頃５の一方を構成する端片５Ａの表地２Ａに形成された孔１５ａ，１５ｂは、孔１５ａ，１５ｂから外部に露出した胴ストラップ部７，８が面ファスナー１７，１７を避けられる位置に形成されている。同様に、端片５Ｂの裏地２Ｂに形成された孔１６ａ，１６ｂは、孔１６ａ，１６ｂから外部に露出した胴ストラップ部７，８が面ファスナー１８，１８を避けられる位置に形成されている。
【００３８】
また、図７に示されるように、他方側の端片５Ｂは、面ファスナー１７，１７と面ファスナー１８，１８とを係合させた状態において、一方側の端片５Ａの孔１５ａ，１５ｂを被覆可能な寸法に形成されているため、胴ストラップ部７，８及び接続部材１１ａ，１１ｂ，１２ａ，１２ｂが衣服体２の外部に露出せず、衣服体２の美観を向上させることができる。
【００３９】
また、図８に示されるように、ハーネス３は、胴ストラップ部７，８が接続部材１１ａ，１１ｂ，１２ａ，１２ｂにより左右に着脱可能に分割され、肩ストラップ部９が接続部材１４ａ，１４ｂにより左右に着脱可能に分割されて、ハーネス３が左右２つに分割可能となっている。そのため、例えば、衣服体２の後身頃に形成された孔６ａ，６ｂ（図３（ａ）参照）から左右に分割されたハーネス３をそれぞれ挿入することで衣服体２へハーネス３を取り付けることができる。これによれば、表地と裏地とを縫合させた状態の衣服体２にハーネス３を取付けることができ、動物用胴輪装置１の作成工程の順序に関係なく容易に行うことができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、衣服体２は袖部４，４を備えているが、これに限らず、袖部を備えない所謂ノースリーブの構造であってもよい。
【００４２】
また、衣服体２は後身頃６が分割され、前身頃５が分割されていない所謂後ろ開きの構造であってもよい。
【００４３】
また、ハーネス３の胴ストラップ部７，８は接続部材１１ａ〜１２ｂにより左右に分割される構成でなくともよいし、同様に肩ストラップ部９は接続部材１４ａ，１４ｂにより左右に分割される構成でなくともよい。
【００４４】
また、ハーネス３の胴ストラップ部は、動物Ｐの胴部を周方向に横切るように少なくとも２本設けられていればよく、例えば３本以上でもよいし、平紐に限らず、例えば胴部を周方向に横切る幅広の帯状のネット等で構成されていてもよい。
【００４５】
また、衣服体２は、表地２Ａと裏地２Ｂとが別体であってもよいし、一枚の布地を折り畳んで一方を表地２Ａとし、他方を裏地２Ｂとしてもよい。
【００４６】
また、衣服体２の前身頃５は、動物Ｐの後ろ脚部分が切り欠かれており、排尿や排便時に汚れにくく構成されているが、これに限らず、動物Ｐの上半身のみを覆い、下半身部分の後身頃を省略してもよい。
【００４７】
また、ハーネス３は衣服体２に対して縫い止められていてもよい。
【符号の説明】
【００４８】
１                動物用胴輪装置
２                衣服体
２Ａ              表地
２Ｂ              裏地
３                ハーネス
４                袖部
５                前身頃
５Ａ              端片
５Ｂ              端片
６                後身頃
６ａ，６ｂ        孔
７，８            胴ストラップ部
７ｂ，７ｃ        分割ストラップ
８ｂ，８ｃ        分割ストラップ
９                肩ストラップ部
９ｂ，９ｃ        分割ストラップ
１０              環部材
１１ａ，１１ｂ    接続部材
１２ａ，１２ｂ    接続部材
１３              環部材
１４ａ，１４ｂ    接続部材
１５ａ，１５ｂ    孔
１６ａ，１６ｂ    孔
１７，１８        面ファスナー
２０              リード
Ｌ，Ｌ            両前脚
Ｐ                動物
【図１】
2019080512.tif 000003
【図２】
2019080512.tif 000004
【図３】
2019080512.tif 000005
【図４】
2019080512.tif 000006
【図５】
2019080512.tif 000007
【図６】
2019080512.tif 000008
【図７】
2019080512.tif 000009
【図８】
2019080512.tif 000010